(57)【要約】 【課題】公知の読書スタンド、読書テーブルは、本を縦に広げて読書テーブル読書スタンドに立てて載せ一定の姿勢で本を見る構造のものであった。  この為、寝ころびうつ伏せで本を見る場合、テーブル角度が一定で本を好みの角度に傾けができず、又寝ころび横向きで本を見る場合本が縦に広げての読書となり本を読みにくい欠点があった。【解決手段】テーブルを支える支柱取り付け位置を、多段階に複数設ける事で本を載せるテーブルを多段階に傾けが出来、又、本をテーブル横向きに広げ載せて見る場合、テーブルより載せた本が脱落しない為の本を支える部材の蝶ボルトをテーブル一端に設ける事で、寝ころび横向きでの読書が可能となる。【選択図】  図９
2011030965.tif 000002
【特許請求の範囲】
【請求項１】
読書テーブル（１）に本のページを押さえ支える板状部材のページ押さえ金具（２）を取り付けするボルト（３）、ページ押さえ金具（２）をページの厚さに合わせページ押さえ金具を締め付けする蝶ナット（４）、テーブルを支える支柱（５）、テーブルをハンドルに引っ掛け固定するフック金具（６）、から構成する事を特徴とする特許請求項１読書テーブル。
【請求項２】
本のページ押さえ金具が、本のページの厚さに応じて押さえる圧力を調整する部材を蝶ナットとした事を特徴とする特許請求項２読書テーブル。
【請求項３】
ページ押さえ金具が本のページの厚さに応じてページ押さ金具に加える圧力を調整する部材を蝶ボルトとした事を特徴とする特許請求項２読書テーブル。
【請求項４】
テーブルを支える支柱（５）、にテーブル支柱を取り付けする木ピン（７）を設けた事を特徴とする特許請求項３読書テーブル。
【請求項５】
テーブル両端と、テーブル中央に本を支える蝶ボルト（８）挿入穴（９）を設けた事を特徴とする特許請求４項の読書テーブル。
【請求項６】
テーブル上部中央一端に車のハンドルにテーブルを取り付けするフック金具（６）を設けた事を特徴とする特許請求項５の読書テーブル。
【発明の詳細な説明】
【技術分野】
【０００１】
読書する際本を支える読書スタンド、読書テーブルに関する。
【背景技術】
【０００２】
市販されている読書スタンド、読書テーブルは、本を縦に支える構造のものが主である。
【０００３】
市販されている読書テーブルは、本を載せるテーブルの傾け角度が一定のものが多くある。
【先行技術文献】
【特許文献】
【０００４】
【特許文献１】特開平09‐075139
【特許文献２】特開2000‐014455
【特許文献３】特開2001‐145527
【特許文献４】特開2001‐390763
【特許文献５】特開2008‐173423
【発明の概要】
【発明が解決しようとする課題】
【０００５】
どの様な姿勢でも読書ができ、簡単に本のページを押さえる事が出来、本を見る姿勢に合わせ多段階に本をのせた読書テーブルを傾けが出来、屋内の使用から、車中まで持ち込み使用できる読書テーブルを必要としている。  
【０００６】
多段階にテーブルを傾ける為に、複数設けている支柱取り付け木ピン（７）挿入穴（８）が、取り付け取り外しを繰り返す毎に摩耗し穴が大きくなり支柱がテーブルより脱落す事が有る。
【０００７】
寝ころび、うつ伏せ読書が可能で又、寝ころび横向きで読書する場合、テーブルに本を横向きに載せる事を必要とする。
【課題を解決するための手段】
【０００８】
板状の本をのせる読書テーブル（１）に、本のページを押さえる透明板状部材と、テーブルを多段階に傾けが出来るように、テーブルを支え取り付けする支柱穴（８）を複数もうける。
【０００９】
テーブル上部中央に車中で使用できるように、テーブル上部にハンドルに引っ掛け固定するフック部材（６）を設ける。
【００１０】
支柱を取付けする穴（１０）が摩耗し大きくなり木ピン（７）より大きくなっても支柱が脱落しないように木ピン（７）を支柱に直角に成らない様に若干左右どちらかに傾け取り付けする。
【００１１】
寝ころび横向きで読書を可能にする為に、テーブルより本の落下ズレ止を防止する為の蝶ボルト（８）で本の一端を支える、蝶ボルト挿入穴（９）をテーブル両端と中央に設ける。
【発明の効果】
【００１２】
テーブル内に支柱を取り付けする穴を複数設ける事でテーブルを読書する姿勢に応じてテーブルを傾けが出来る。
【００１３】
テーブル上部一端にフックを設ける事で屋内での読書から車中まで読書テーブルを持ち込んでハンドルに引っ掛け使用出来る。
【００１４】
支柱に取り付けしている木ピンを支柱に傾けて取り付けする事で木ピン挿入穴が使用頻度により大きくなっても支柱を押し付け挿入する事で支柱がテーブルより支柱が脱落しない。
【００１５】
読書テーブルに単行本を横向きで使用する場合、テーブルより本が脱落しない様に本の一端をテーブル内下端に設けている蝶ボルト（８）で支え、表紙カバーが柔らかい単行本、新書等の場合は、テーブル下端に取つけしている本を支える蝶ボルト（８）をテーブル中央の蝶ボルト（８）の挿入穴（９）に取り付けし、文庫本、新書等の本の中央を支える事でこれらの本を読書テーブルに横向きに固定が出来、寝ころび横向き姿勢での読書が可能となる。
【発明を実施するための最良の形態】
【００１６】
車中に持ち込み使用する為に、読書テーブル（１）上部に中央にハンドルに引っ掛けができるハンドルの太さに合ったＵ型フック金具（６）を設け車中での余暇の時間にハンドル上部にテーブルのフックを引っ掛け取り付け使用する。
【００１７】
読書テーブルを支える支柱に取り付けしている木ピン（７）を支柱取り付け面左右どちらかに若干傾け取り付けする。
【００１８】
読書テーブル（１）に本を横向きに据え付けて使用する場合、テーブルより本が脱落しない様に、テーブル一端に設けている蝶ボルト（８）を蝶ボルト挿入穴（９）に取り付け本の一端を支え使用する。
【実施例１】
【００１９】
板状読書テーブル（１）の材質等は、プラスチック、ＭＤＦ、合板等を用い図１に示したように、本のページを押さえる透明板状金具（２）をボルト（３）に挿入し、本のページを押さえる蝶ナットで本のページの厚さに応じて蝶ナットでページを押さえ金具で押さえる。
【００２０】
テーブルを支える支柱取り付け穴（１０）を複数設ける事で読書する姿勢に合わせ本を載せたテーブルを本が見やすい角度に傾けが出来、より使いやすい読書テーブルとなる。
【００２１】
本を押さえ支える板状部材（２）の材質等は透明版の板状の材質で図２のように本のページの厚さに蝶ナットで押さえ曲げが可能で適度の軟性を有するものであれば、どのような材質でも良く塩ビ版、アクリル板等を用いてもよい。
【００２２】
本を押さえ支える板状部材（２）は、蝶ナットによる締め付けで本のページの厚さに応じて板状部材（２）で本のページを押さえる機能をもつ部材である。
【００２３】
本のぺージを押さえ支える板状部材（２）は、ボルト（３）に挿入して取り付けし蝶ナットで押さえ固定しているが、テーブルに蝶ボルトを用いて板状部材（２）を押さえるようにしてもよい。図１８
【００２４】
板状読書テーブル（１）を多段階に傾けし、テーブルを支える支柱はテーブル一端をくり抜いた三角形状の部材とし用い、支柱（５）一端に木ピン（７）を取り付けする。
【００２５】
支柱に木ピンを取り付けする際、取り付け面に垂直に取り付けせず若干左右どちらかに木ピンを傾け取り付けする図3。
【００２６】
木ピン（７）を傾け取り付けすることにより木ピン挿入穴が摩耗し大きくなっても支柱とテーブル面が垂直でないために、支柱をテーブル面に押し込むことでテーブルと支柱面一端に圧接が生じ支柱が脱落しない。
【００２７】
テーブル中央に設けている本を支える蝶ボルト（８）挿入穴は、テーブルに本を横向きに据え付け読書する際、本がテーブルよりずり落ち、を防ぐ為の蝶ボルト挿入穴（７）である  。
【００２８】
単行本を載せて使用する場合は、単行本表紙カバーが厚く硬い為、本を押さえる蝶ボルト（８）をテーブル下端挿入穴に取り付けする事で本がテーブルより滑り落ちる事が無くなる。
【００２９】
新書、文庫本は、表紙が薄くテーブル下端に取り付けした蝶ボルトでは表紙が薄く軟弱な為本を支える事が出来ない。
【００３０】
この為、テーブルに本を支える為に蝶ボルトをテーブル中央の蝶ボルト挿入穴（９）に取り付けし、本の中央を支える事でテーブルより本が滑り落ちるのを防ぐことができ、従来本を横に据え付けが出来なかった課題を解決できる。
【実施例２】
【００３１】
図19既存の読書スタンドに本発明のページ押さえ金具を取り付けした
読書スタンド使用状況斜視図で、既存の読書スタンドは、本を伏せて横たり仰向けで本を見る事しか出来ない読書スタンドであったが、読書スタンドのテーブルに本のページ押さえ金具を設ける事でテーブルに本を広げてみる事が出来るようになる。
【００３２】
この為、一台の読書スタンドで寝ころび仰向けでのテーブルに本を伏せての読書から座椅子に腰かけ本を広げて読書が出来、一台の読書スタンド全ての姿勢での読書が出来ようになる。
【産業上の利用可能性】
【００３３】
従来の読書テーブルは単位置のテーブルの傾けしか出来ず又、寝ころび横向きで本を見る場合、本が縦の状態の為本が見にくい欠点があった、本発明は、本を横向きでもテーブルに取り付け使用ができ本が見やすく又、読書テーブルの使用が室内だけの使用から車中に持ち込み使用が出来るため、読書テーブルの使用範囲が広がりこの商品の市場が大きくなる。
【図面の簡単な説明】
【００３４】
【図１】本発明の、読書テーブルの正面斜視図。
【図２】本発明の、読書テーブルの側面斜視図。
【図３】本発明の、読書テーブルの支柱斜視図。
【図４】本発明の、読書テーブルの正面図。
【図５】本発明の、読書テーブルを横向きに使用する際の部分拡大図。
【図６】本発明の、読書テーブルを横向きに使用した側面斜視図。
【図７】本発明の、読書テーブルを横向きに使用した正面図。
【図８】本発明の、読書テーブルを単行本横向きに使用とするテーブルの側面斜視図。
【図９】本発明の、読書テーブルに単行本を横向きに据え付けした状況斜視図。
【図１０】本発明の、読書テーブルに文庫本を横向きに据え付けしようとする読書テーブル側面斜視図。
【図１１】本発明の、読書テーブルに文庫本を据え付け載せた状況斜視図。
【図１２】本発明の、読書テーブルに読書テーブルに文庫本を据え付けた状況斜視図。
【図１３】本発明の、読書テーブルの側面部分拡大図。
【図１４】本発明の、読書テーブルのページ押さえ金具を読書スタンドに蝶ボルトを用いページ押さえ金具を締め付けした状況部分拡大斜視図。
【図１５】本発明の、読書テーブルのページ押さえ金具を蝶ボルトを用いた部分拡大斜視図。
【図１６】本発明の、読書テーブルのページ押さえ金具を締め付け押さえる為の蝶ボルト。
【図１７】本発明の、読書テーブルの板状部材のページ押さえ金具。
【図１８】ページ押さえ金具、締め付けする蝶ボルトの斜視図。
【図１９】既存の読書スタンドに本発明のページ押さえ金具を取り付けした読書スタンド使用状況斜視図。
【図２０】既存の読書スタンドに単行本を伏せて使用する状況斜視図。
【図２１】本発明の読書テーブルに本を広げて載せた状況斜視図。
【符号の説明】
【００３５】
１  読書テーブル。
２  本のページを押さえ支える為の板状部材のページ押さえ金具。
３  板状部材のページ押さえ金具を取り付けするボルト。
４  板状部材を締め付けする蝶ナット。
５  テーブルを支える支柱。
６  テーブルをハンドルに引っ掛け固定するフック部材。  
７  テーブルに支柱を取り付けする木ピン。
８  蝶ボルト。
９  蝶ボルト挿入穴。
１０  支柱を取付けする穴。
１１  単行本。
１２  文庫本。
１３  板状部材のページ押さえ金具を締め付け押さえる蝶ボルト。
１４  既存の読書スタンド。
【図１】
2011030965.tif 000003
【図２】
2011030965.tif 000004
【図３】
2011030965.tif 000005
【図４】
2011030965.tif 000006
【図５】
2011030965.tif 000007
【図６】
2011030965.tif 000008
【図７】
2011030965.tif 000009
【図８】
2011030965.tif 000010
【図９】
2011030965.tif 000011
【図１０】
2011030965.tif 000012
【図１１】
2011030965.tif 000013
【図１２】
2011030965.tif 000014
【図１３】
2011030965.tif 000015
【図１４】
2011030965.tif 000016
【図１５】
2011030965.tif 000017
【図１６】
2011030965.tif 000018
【図１７】
2011030965.tif 000019
【図１８】
2011030965.tif 000020
【図１９】
2011030965.tif 000021
【図２０】
2011030965.tif 000022
【図２１】
2011030965.tif 000023